(57)【要約】      （修正有）【課題】回転ベゼルの回転操作時において、スティックスリップ現象を発生しにくくできる回転ベゼル付時計を提供する。【解決手段】回転ベゼル付時計１は、風防部材４を保持するガラス縁８と、ガラス縁８に対して回転可能に設けられる回転ベゼル９と、ガラス縁８の外周面に取り付けられる樹脂部材１３と、樹脂部材１３と回転ベゼル９の内周面との間に配置されるパッキン１４とを、備える。【選択図】図２
2019105472.tif 000002
【特許請求の範囲】
【請求項１】
風防部材を保持するガラス縁と、
前記ガラス縁に対して回転可能に設けられる回転ベゼルと、
前記ガラス縁の外周面に取り付けられる樹脂部材と、
前記樹脂部材と前記回転ベゼルの内周面との間に配置されるパッキンと、を備えることを特徴とする回転ベゼル付時計。
【請求項２】
風防部材を保持するガラス縁と、
前記ガラス縁に対して回転可能に設けられる回転ベゼルと、
前記回転ベゼルの内周面に取り付けられる樹脂部材と、
前記樹脂部材と前記ガラス縁の外周面との間に配置されるパッキンと、を備えることを特徴とする回転ベゼル付時計。
【請求項３】
請求項１または請求項２に記載の回転ベゼル付時計において、
前記樹脂部材は、フッ素樹脂から形成されることを特徴とする回転ベゼル付時計。
【請求項４】
請求項１から請求項３のいずれか一項に記載の回転ベゼル付時計において、
前記回転ベゼルは、前記ガラス縁に対して双方向に回転可能であることを特徴とする回転ベゼル付時計。
【請求項５】
請求項１から請求項４のいずれか一項に記載の回転ベゼル付時計において、
前記回転ベゼルには、文字、数字、記号および目盛りのうち少なくともいずれか一つが情報として表示されていることを特徴とする回転ベゼル付時計。
【発明の詳細な説明】
【技術分野】
【０００１】
本発明は回転ベゼル付時計に関する。
【背景技術】
【０００２】
従来、ダイバーズウオッチやスポーツウオッチなど回転ベゼルを有する回転ベゼル付時計が知られている。回転ベゼルは、カバーガラスの周囲のベゼルを回転可能に装着したものであり、ベゼルの表面には、時計の指針に対応した目盛りなどが表示される。このような回転ベゼルでは、適宜回転させて目盛りと指針との関係を設定することで、ある時点からの経過時間などを容易に読み取るなどの機能を得ることができる。
【０００３】
このような回転ベゼル付時計において、回転ベゼルを容易に回転できるように、回転ベゼルのがたつきを抑制できる時計装置が提案されている（特許文献１）。
特許文献１に記載の時計装置は、ケース本体と、風防部材を保持するガラス縁と、ケース本体に対して回転可能に設けられる回転ベゼルとを備え、ガラス縁の外周面と回転ベゼルの内周面との間にパッキンを備えている。これにより、回転ベゼルとガラス縁との接触面積を少なくし、かつ、パッキンの弾性力によりがたつきを抑制することで、回転ベゼルを容易に回転できるようにしている。
【先行技術文献】
【特許文献】
【０００４】
【特許文献１】特開２０１５−１０８５１２号公報
【発明の概要】
【発明が解決しようとする課題】
【０００５】
ところで、特許文献１の時計装置では、回転ベゼルやガラス縁を金属やセラミックで形成することがある。この場合、回転ベゼルの回転操作時に、金属製やセラミック製の回転ベゼルとゴム製のパッキンとの間の摩擦によってスティックスリップ現象が発生することがある。このスティックスリップ現象が発生すると、回転ベゼルの操作トルクが不安定となり、回転ベゼルを円滑に操作することができないという問題がある。
【０００６】
本発明の目的は、回転ベゼルの回転操作時において、スティックスリップ現象を発生しにくくすることができる回転ベゼル付時計を提供することにある。
【課題を解決するための手段】
【０００７】
本発明の回転ベゼル付時計は、風防部材を保持するガラス縁と、前記ガラス縁に対して回転可能に設けられる回転ベゼルと、前記ガラス縁の外周面に取り付けられる樹脂部材と、前記樹脂部材と前記回転ベゼルの内周面との間に配置されるパッキンと、を備えることを特徴とする。
【０００８】
本発明では、ガラス縁の外周面に樹脂部材が取り付けられ、当該樹脂部材と回転ベゼルの内周面との間にパッキンが配置されるので、回転ベゼルの回転操作時において、パッキンと樹脂部材とが摺動する。ここで、この樹脂部材は、ガラス縁の材料として用いられる金属やセラミックと比べて、パッキンとの摺動部分に生じる摩擦力が小さくなる材料から形成することができる。従って、スティックスリップ現象を発生しにくくすることができ、回転ベゼルを円滑に操作することができる。
【０００９】
本発明の回転ベゼル付時計は、風防部材を保持するガラス縁と、前記ガラス縁に対して回転可能に設けられる回転ベゼルと、前記回転ベゼルの内周面に取り付けられる樹脂部材と、前記樹脂部材と前記ガラス縁の外周面との間に配置されるパッキンと、を備えることを特徴とする。
本発明では、樹脂部材とガラス縁の外周面との間にパッキンが配置されるので、回転ベゼルの回転操作時において、パッキンと樹脂部材とが摺動する。そのため、前述と同様に、スティックスリップ現象を発生しにくくすることができ、回転ベゼルを円滑に操作することができる。
【００１０】
本発明の回転ベゼル付時計において、前記樹脂部材は、フッ素樹脂から形成されることが好ましい。
本発明によれば、樹脂部材は、ポリテトラフルオロエチレンなどのフッ素樹脂から形成することができる。このようなフッ素樹脂は摩擦係数が小さいので、パッキンと樹脂部材との摺動部分に生じる摩擦力をより小さくすることができる。従って、スティックスリップ現象をより発生しにくくすることができる。
【００１１】
本発明の回転ベゼル付時計において、前記回転ベゼルは、前記ガラス縁に対して双方向に回転可能であることが好ましい。
本発明によれば、回転ベゼルをガラス縁に対して双方向に回転させることができるので、回転ベゼルの表面に表示された文字や目盛りなどを指針の示す方向に合わせる際に、回転ベゼルを回転操作量の少ない方向に回転させることができる。従って、回転ベゼルの操作性を良くすることができる。
【００１２】
本発明の回転ベゼル付時計において、前記回転ベゼルには、文字、数字、記号および目盛りのうち少なくともいずれか一つが情報として表示されていることが好ましい。
本発明によれば、指針と回転ベゼルに表示する情報とによって、電子時計に設けたセンサーで測定した情報を指示することができる。例えば、回転ベゼル付時計に方位センサーを設け、方位を示す文字および目盛りを情報として回転ベゼルに表示することにより、回転ベゼル付時計は簡易方位計としての機能を備えることができる。この場合は、使用者が現在地での方位を容易に確認することができる。
【図面の簡単な説明】
【００１３】
【図１】本発明の第１実施形態に係る回転ベゼル付時計を示す平面図。
【図２】第１実施形態の回転ベゼル付時計のガラス縁部分の拡大断面図。
【図３】各実施例および比較例の起動トルクおよび回転トルクの評価結果を示すグラフ。
【図４】本発明の第２実施形態に係る回転ベゼル付時計のガラス縁部分の拡大断面図。
【発明を実施するための形態】
【００１４】
［第１実施形態］
以下、本発明の第１実施形態に係る回転ベゼル付時計１について、図面に基づいて説明する。
図１は、本実施形態の回転ベゼル付時計１を示す平面図である。図２は、回転ベゼル付時計１のガラス縁部分の拡大断面図である。
【００１５】
［回転ベゼル付時計の概略構成］
回転ベゼル付時計１は、図１および図２に示すように、扁平な円筒状のケース本体（胴）２を備えている。
ケース本体２の内部には、文字板３が配置され、この文字板３を覆うように本発明の風防部材であるカバーガラス４が配置されている。文字板３の表面側には指針５が配置され、この指針５は秒針５Ａ、分針５Ｂ、時針Ｃを備えている。すなわち、カバーガラス４を透して時計表面側から時刻表示を視認できるようになっている。
【００１６】
ケース本体２の内部には、指針５を駆動する図示略のムーブメントが収納されている。
ケース本体２の側面には、指針５の調整や設定を行うためのりゅうず６および２つのボタン６Ａ、６Ｂが配置される。
ケース本体２の時計裏面側には、開口部分を覆う裏蓋７が配置されている。裏蓋７は雄ねじ部７１を有しており、当該雄ねじ部７１がケース本体２に刻設された雌ねじ部２１に螺合されている。このため、裏蓋７は、防水パッキン１０を介してケース本体２に着脱自在に設けられている。
【００１７】
回転ベゼル付時計１は、外装部品として、以上のケース本体２、カバーガラス４、裏蓋７の他、ガラス縁８と、回転ベゼル９とを備える。
本実施形態のガラス縁８および回転ベゼル９について、図２を用いて、より具体的に説明する。
【００１８】
［ガラス縁］
ガラス縁８は、金属またはセラミックで形成され、カバーガラス４を保持するものである。すなわち、ガラス縁８は、円環状に形成され、カバーガラス４の外周縁に沿って配置されている。
ガラス縁８は、略円筒状の筒状部８１と、筒状部８１の内周面８２から突出された支持部８３と、筒状部８１の外周面８４の上端部から突出された保持部８５とを備えている。
【００１９】
筒状部８１の内周面８２および前記支持部８３の上面８３１で、断面略Ｌ字状の係合段部８６が形成されている。係合段部８６には、円環状のプラスチックパッキン１１が配置され、このプラスチックパッキン１１の内周側に前記カバーガラス４が圧入されている。すなわち、カバーガラス４と筒状部８１との間にプラスチックパッキン１１が圧入されることで、ガラス縁８に対してカバーガラス４が固定され、かつ、防水性も確保される。
【００２０】
筒状部８１の外周面８４の下端部には、径方向の内側に向けて段差が付けられた断面略逆Ｌ字状の係合段部８７が形成されている。係合段部８７には、ガラス縁パッキン１２が配置され、このガラス縁パッキン１２が配置された筒状部８１がケース本体２の内周側に圧入される。すなわち、ガラス縁８とケース本体２との間にガラス縁パッキン１２が圧入されることで、ケース本体２に対してガラス縁８が固定され、かつ、防水性も確保される。
【００２１】
保持部８５は、回転ベゼル９の表面側に突出して位置し、回転ベゼル９が時計表面側に移動することを規制する。すなわち、保持部８５は、回転ベゼル９を時計厚さ方向（ケース本体２の軸方向）に位置決めしている。
また、保持部８５の上面８５１には、図１に示すように、世界のタイムゾーンの代表都市名を示す文字と、ＷＴＣ（協定世界時）との時差を示す数字が表示されている。すなわち、本実施形態の回転ベゼル付時計１はワールドタイム機能を備えている。
【００２２】
図２に戻って、筒状部８１の外周面８４には、断面が略矩形状の凹溝部８８が周方向に連続して形成されている。凹溝部８８には、ポリテトラフルオロエチレンなどのフッ素樹脂から形成された樹脂部材１３が圧入されて取り付けられている。樹脂部材１３は、断面が略矩形状で円環状に形成され、樹脂部材１３の外周面が筒状部８１の外周面８４と略面一になるように凹溝部８８に取り付けられている。なお、樹脂部材１３は、その内周面が凹溝部８８の外周面に接着されて取り付けられてもよい。
【００２３】
［回転ベゼル］
回転ベゼル９は、金属またはセラミックで形成された円環状の部材であり、図１に示すように、外周には周方向に交互に配列された凹凸を有する操作部９１が形成されている。
図２に戻って、回転ベゼル９はまた、ケース本体２の上面２２に対向し、かつ、ガラス縁８の外周面８４に沿って配置される。
【００２４】
回転ベゼル９の上面９３には、図１に示すように、情報９４として方位を示す文字、記号および目盛りが表示されている。すなわち、本実施形態の回転ベゼル付時計１は方位センサーが設けられ、方位センサーの測定指示により秒針５Ａが北の方向を指すため、簡易方位計としての機能を備えている。ここで、回転ベゼル９はガラス縁８に対して双方向に回転可能に配置されている。そのため、回転ベゼル９の操作量が少なくなる方向に回転操作して、情報９４において北の方角を示す「Ｎ」の文字を秒針５Ａが示す方向に合わせることで現在地での方位を容易に確認することができる。
【００２５】
図２に戻って、回転ベゼル９の内周面９５には、樹脂部材１３が取り付けられた凹溝部８８と対向する位置に、断面が略矩形状の凹溝部９６が形成されている。この凹溝部９６は、時計厚さ方向の寸法（高さ）が凹溝部８８よりも小さくなるように形成されている。すなわち、凹溝部８８は、時計厚さ方向の寸法が凹溝部９６よりも大きくなるように形成され、その開口部の上端は凹溝部９６の開口部の上端よりも時計表面側に位置し、その開口部の下端は凹溝部９６の開口部の下端よりも時計裏面側に位置している。凹溝部９６には、合成樹脂やゴムなどの弾性部材で形成されたパッキン１４が配置されている。すなわち、回転ベゼル９はパッキン１４を介してガラス縁８の外周面８４に嵌め込まれている。そのため、パッキン１４の弾性力により回転ベゼル９の内周面９５とガラス縁８の外周面８４との間の隙間を埋めることができ、ガラス縁８に対する回転ベゼル９のがたつきを抑制することができるとともに、ガラス縁８に対して回転ベゼル９を任意の位置で保持することができる。
【００２６】
また、樹脂部材１３がガラス縁８の凹溝部８８に取り付けられ、樹脂部材１３と回転ベゼル９の内周面９５との間にパッキン１４が配置されるので、回転ベゼル９の回転操作時において、樹脂部材１３とパッキン１４とが摺動する。ここで、樹脂部材１３は、前述のように、ポリテトラフルオロエチレンなどのフッ素樹脂から形成される。フッ素樹脂は摩擦係数が小さいので、このようなフッ素樹脂から形成される樹脂部材１３は、金属やセラミックから形成されるガラス縁８と比べて、パッキン１４との摺動部分に生じる摩擦力を小さくすることができる。そのため、回転ベゼル９の回転操作時において、回転トルクの変化を小さくでき、スティックスリップ現象を発生しにくくすることができる。
【００２７】
さらに、樹脂部材１３は、パッキン１４が配置される凹溝部９６よりも時計厚さ方向の寸法が大きい凹溝部８８に取り付けられている。そのため、回転ベゼルばねのばらつきなどによって、ガラス縁８に対する回転ベゼル９の時計厚さ方向の位置がずれたとしても、樹脂部材１３とガラス縁８のパッキン１４とを確実に摺動させることができる。従って、回転ベゼル９の回転操作時において、スティックスリップ現象をより確実に発生しにくくすることができる。
【００２８】
［評価試験］
次に、本実施形態において、ガラス縁８の外周面８４に樹脂部材１３を取り付けた場合の、回転ベゼル９の操作トルクに係る評価試験を行った結果について、実施例および比較例により詳細に説明する。
【００２９】
［評価試験方法］
回転ベゼル９の操作トルクに係る評価試験として、起動トルクおよび回転トルクをパッキン１４の締代を変化させて測定した。ここで、パッキン１４の締代とは、回転ベゼル９がガラス縁８に嵌め込まれていない状態で、凹溝部９６にパッキン１４が配置された際のパッキン１４の内周半径と、パッキン１４と摺動する樹脂部材１３の外周半径との寸法差である。通常、パッキンの締代が大きくなると、パッキンがより弾性変形し、その弾性力が大きくなって摺動部分に生じる摩擦力が大きくなる。そのため、回転操作に必要な起動トルクおよび回転トルクは大きくなる。
ここで、起動トルクは、ガラス縁８に対して回転ベゼル９を静止させた状態から回転させた場合のトルクを測定した。また、回転トルクは、ガラス縁８に対して、回転ベゼル９が右（時計回り）に回転させている状態のトルク（回転トルク（右））と、左（反時計回り）に回転させている状態のトルク（回転トルク（左））とを測定した。
なお、比較例Ａ，Ｂでは、樹脂部材１３をガラス縁８の外周面８４に取り付けていない場合の試験を行った。すなわち、パッキン１４とガラス縁８とを直接摺動させた場合の試験を比較例として行った。この場合のパッキン１４の締代は、前述した状態でのパッキン１４の内周半径と、パッキン１４と摺動するガラス縁８の外周半径（外周面８４の半径）との寸法差である。
パッキン１４の締代は、比較例Ａでは０．０２ｍｍ、比較例Ｂでは０．０５ｍｍ、実施例Ｃでは０．０７ｍｍ、実施例Ｄでは０．１０ｍｍとなるように調整した。すなわち、樹脂部材１３を取り付けた実施例Ｃ，Ｄのほうが比較例Ａ，Ｂよりもが大きくなるように調整した。
【００３０】
［評価試験結果］
図３は、評価試験の結果を示すグラフである。図３の縦軸は、起動トルクおよび回転トルクの測定値（単位はｋｇｆ・ｃｍ）を示している。
図３の試験結果から、比較例Ａ，Ｂの起動トルクの測定値はそれぞれ、０．５ｋｇｆ・ｃｍ（約０．０４９Ｎ・ｍ）、１．０ｋｇｆ・ｃｍ（約０．０９８Ｎ・ｍ）であった。一方、実施例Ｃ，Ｄの起動トルクの測定値はそれぞれ、０．４ｋｇｆ・ｃｍ（約０．０３９Ｎ・ｍ）、０．５ｋｇｆ・ｃｍ（約０．０４９Ｎ・ｍ）であった。
このことから、実施例Ｃ，Ｄでは比較例Ａ，Ｂよりもパッキン１４の締代が大きいのにも関わらず、起動トルクは低く抑えられることが示された。また、比較例Ａ，Ｂではパッキン１４の締代が大きくなるに従って起動トルクは顕著に上昇するのに対して、実施例Ｃ，Ｄではパッキン１４の締代が大きくなっても起動トルクはほとんど上昇しないことが示された。つまり、実施例Ｃ，Ｄのように、パッキン１４と樹脂部材１３とを摺動させることで、パッキン１４の締代が大きくなっても起動トルクを低く抑えることができることが示された。
【００３１】
また、回転トルクの測定結果について、比較例Ａ，Ｂでは、左右の測定値に０．１〜０．２ｋｇｆ・ｃｍ程度のばらつきがあったのに対して、実施例Ｃ，Ｄでは、左右の測定値で同じ値を示していた。つまり、実施例Ｃ，Ｄのように、パッキン１４と樹脂部材１３とを摺動させることで、回転方向による回転トルクのばらつきが小さくなることが示された。
【００３２】
上記の試験結果から、樹脂部材１３をガラス縁８の外周面８４に取り付けることにより、パッキン１４の締代が大きい場合でも、回転ベゼル９の起動トルクを低く抑えることができ、かつ、回転トルクを安定させることができることが示された。すなわち、回転ベゼル９の回転操作時におけるスティックスリップ現象を発生しにくくすることができることが示された。
【００３３】
［第１実施形態の効果］
このような本実施形態によれば、以下の効果を得ることができる。
本実施形態では、ガラス縁８の外周面８４に樹脂部材１３が取り付けられ、樹脂部材１３と回転ベゼル９の内周面９５との間にパッキン１４が配置されるので、回転ベゼル９の回転操作時において、パッキン１４と樹脂部材１３とが摺動する。ここで、樹脂部材１３は、ポリテトラフルオロエチレンなどのフッ素樹脂から形成される。このようなフッ素樹脂は、摩擦係数が小さいので、パッキン１４との摺動部分に生じる摩擦力を小さくすることができる。従って、スティックスリップ現象を発生しにくくすることができ、回転ベゼル９を円滑に操作することができる。
【００３４】
本実施形態では、回転ベゼル９をガラス縁８に対して双方向に回転させることができる。そのため、回転ベゼル９の上面９３に表示された情報９４を指針５の示す方向に合わせる際に、回転ベゼル９の操作量の少ない方向に回転させることができる。従って、回転ベゼル９の操作性を良くすることができる。
【００３５】
本実施形態では、回転ベゼル付時計１は方位センサーが設けられ、情報９４として方位を示す文字および目盛りが表示されているので、簡易方位計としての機能を備えることができる。そのため、使用者が、回転ベゼル９を回転操作して、情報９４のＮの文字を秒針５Ａの示す方向に合わせることで、現在地での方位を容易に確認することができる。
【００３６】
［第２実施形態］
次に、本発明の第２実施形態について、図４を参照して説明する。なお、第２実施形態において、第１実施形態と同一または同様の構成には同一符号を付し、説明を省略する。
第２実施形態の回転ベゼル付時計１Ａは、樹脂部材１３Ａが回転ベゼル９の内周面９５Ａに形成された凹溝部９６Ａに取り付けられ、パッキン１４Ａがガラス縁８の外周面８４Ａに形成された凹溝部８８Ａに配置されている。すなわち、樹脂部材１３Ａは、回転ベゼル９の内周面９５（凹溝部９６Ａ）に取り付けられて、回転ベゼル９を回転させる際のパッキン１４に対する摺動部分となる。つまり、本実施形態においても、回転ベゼル９を回転操作する際に、樹脂部材１３Ａとパッキン１４Ａとが摺動するので、前述した第１実施形態と同様の効果を得ることができる。
なお、樹脂部材１３Ａは、凹溝部９６Ａに圧入されて取り付けられてもよいし、樹脂部材１３Ａの外周面を凹溝部９６Ａの内周面に接着されて取り付けられてもよい。
【００３７】
［変形例］
なお、本発明は前述の各実施形態に限定されるものではなく、本発明の目的を達成できる範囲での変形、改良などは本発明に含まれるものである。
本発明の回転ベゼル付時計は、ワールドタイム機能や簡易方位計機能を備える時計に限らず、回転ベゼルを有する腕時計に適用できる。例えば、ダイバーズウオッチでは、時計の指針に対応した数字および目盛りなどを情報として表示することがあり、この表示に本発明の回転ベゼルを適用してもよい。この際、回転ベゼルの下面に複数の溝部を周方向に沿って配列し、ケース本体の上面に回転ベゼルばねを配置して、回転ベゼルばねの先端を複数の溝部のいずれかに係合させることで、使用者が回転ベゼルを回転操作した際にクリック感を得られるようにしてもよい。また、クロノグラフ時計では、航空計測用の円形計算尺付き回転ベゼルを適用してもよい。さらに、回転ベゼル付時計に複数種類のセンサーを設け、モード切替によって秒針５Ａで指示する情報を変更する場合等には、回転ベゼル９には目盛りのみを表示してもよい。
また、ガラス縁には、世界のタイムゾーンの代表都市名を示す文字やＷＴＣとの時差を示す文字に限らず、用途に応じて種々の情報を表示することができる。
さらに、本発明は腕時計に限らず、回転ベゼルを備える各種の時計に適用することができる。
【００３８】
ガラス縁８をケース本体２に固定する方法は、前記各実施形態のような係合段部８７、ガラス縁パッキン１２を用いたものに限らない。
例えば、ガラス縁８の筒状部８１の外周面８４の下端部に雄ねじ部を形成し、ケース本体２の内周面の上端部に雌ねじを形成して、当該ケース本体２の雌ねじ部にガラス縁８の雄ねじ部をねじ込むことで、ケース本体２に対してガラス縁８を固定するようにしてもよい。
また、ガラス縁８はケース本体２と一体となっていてもよい。
【００３９】
前記各実施形態の回転ベゼル付時計１，１Ａは、ケース本体２および裏蓋７を備えていたが、ケース本体２および裏蓋７が一体化されたワンピース型の外装ケースを有するものでもよい。すなわち、本発明は、ケース本体２に対して、回転ベゼル９、カバーガラス４を保持したガラス縁８を取り外すことで、ケース本体２の表面側からムーブメントなどを組み込むことができるので、ワンピース型のケースを備える時計に適用できる。このワンピース型のケースを用いれば、防水性能を向上できる。
【００４０】
前記各実施形態の回転ベゼル付時計１，１Ａは、回転ベゼル９がガラス縁８に対して双方向に回転可能に配置されていたが、一方向のみに回転可能に配置されていてもよい。
また、樹脂部材１３，１３Ａは、前記各実施形態のように、ポリテトラフルオロエチレンなどのフッ素樹脂から形成されるものに限らない。樹脂部材１３，１３Ａは、例えば、シリコン樹脂、ＡＢＳ樹脂およびポリカーボネートなどの一般的な樹脂から形成されていてもよく、回転ベゼルの回転操作時に、ガラス縁や回転ベゼルの材料として用いられる金属やセラミックと比べて、合成樹脂やゴムなどから形成されたパッキンとの摺動部分に生じる摩擦力が小さくなる材料から形成されていればよい。
【符号の説明】
【００４１】
１，１Ａ…回転ベゼル付時計、２…ケース本体、４…カバーガラス（風防部材）、７…裏蓋、８…ガラス縁、８４，８４Ａ…外周面、８８，８８Ａ…凹溝部、９…回転ベゼル、９４…情報、９５，９５Ａ…内周面、９６，９６Ａ…凹溝部、１３，１３Ａ…樹脂部材、１４，１４Ａ…パッキン。
【図１】
2019105472.tif 000003
【図２】
2019105472.tif 000004
【図３】
2019105472.tif 000005
【図４】
2019105472.tif 000006